(57)【要約】【課題】  簡素な構造でアキュムレータ部Ａを一体化する。【解決手段】  天地方向の最上部に圧縮機構部Ｃ、その下方にモータ部Ｍ、更にモータ部Ｍの下方にアキュムレータ部Ａを構成するとともに、アキュムレータ部Ａよりも上方側に冷媒吸入口１４を配設している。  これによれば、冷媒吸入口１４より流入する冷媒ガスに混入している潤滑油と余剰な液冷媒とは、耐圧密閉容器１０内で分離沈降して最下部に構成したアキュムレータ部Ａに貯留される。また、潤滑油と液冷媒とを分離したガス冷媒Ｇは、耐圧密閉容器１０内に構成した冷媒供給経路から最上部に構成した圧縮機構部Ｃへと供給されることより、圧縮機構部Ｃとアキュムレータ部Ａとの間に気密性を持った隔壁部は不要となり、簡素な構造でアキュムレータ部Ａを一体化することができる。【選択図】    図２
2007009789.tif 000002
【特許請求の範囲】
【請求項１】
冷媒が流通する耐圧密閉容器（１０）の内部に、前記冷媒を吸入圧縮する圧縮機構部（Ｃ）と、
前記圧縮機構部（Ｃ）を駆動するモータ部（Ｍ）と、
前記冷媒を液相冷媒と気相冷媒とに分離して気相冷媒のみを前記圧縮機構部（Ｃ）に供給し液相冷媒を貯留するアキュムレータ部（Ａ）とを内蔵し、
前記アキュムレータ部（Ａ）から前記圧縮機構部（Ｃ）への冷媒供給経路を全て前記耐圧密閉容器（１０）の内部に構成して外部に露出しない構造としたアキュムレータ一体型圧縮機であり、
天地方向の最上部に前記圧縮機構部（Ｃ）、その下方に前記モータ部（Ｍ）、更に前記モータ部（Ｍ）の下方に前記アキュムレータ部（Ａ）を構成するとともに、
前記アキュムレータ部（Ａ）よりも上方側に冷媒吸入口（１４）を配設したことを特徴とするアキュムレータ一体型圧縮機。
【請求項２】
前記アキュムレータ部（Ａ）内の下方部に、前記圧縮機構部（Ｃ）を駆動する駆動軸（２３）で駆動されて圧縮機内の被潤滑部（２４、２６、２７）に液状の潤滑油（Ｊ）を供給するオイルポンプ（４０）を配設したことを特徴とする請求項１に記載のアキュムレータ一体型圧縮機。
【請求項３】
前記モータ部（Ｍ）と前記アキュムレータ部（Ａ）との間に、複数の貫通孔（４３ａ）を設けたバッフル板（４３）を配設したことを特徴とする請求項１または請求項２に記載のアキュムレータ一体型圧縮機。
【請求項４】
副軸受け（２６）を支持するための副軸受け支持部材（２５）をアキュムレータ部（Ａ）の中程に設けたうえ、前記副軸受け支持部材（２５）に複数の貫通孔（２５ａ）を設けてバッフル板の機能を持たせたことを特徴とする請求項１ないし請求項３のいずれか１項に記載のアキュムレータ一体型圧縮機。
【請求項５】
前記アキュムレータ部（Ａ）内へ延設される前記駆動軸（２３）の外周側に攪拌防止筒（４４）を配設したことを特徴とする請求項１ないし請求項４のいずれか１項に記載のアキュムレータ一体型圧縮機。
【請求項６】
前記モータ部（Ｍ）と前記アキュムレータ部（Ａ）との間に、前記複数の貫通孔（２５ａ）を設けた前記副軸受け支持板（２５）を配設するとともに、前記オイルポンプ（４０）のポンプハウジング（４２）の一部を前記駆動軸（２３）を包む形で副軸受け支持部まで延設させたことを特徴とする請求項１ないし請求項５のいずれか１項に記載のアキュムレータ一体型圧縮機。
【請求項７】
前記モータ部（Ｍ）の下部空間に、前記冷媒吸入口（１４）と、ロータ（２２）の下側端面およびロータバランサ部（２２ａ）を包む形でロータエンドカバー（４５、４６）とを配設したことを特徴とする請求項１ないし請求項６のいずれか１項に記載のアキュムレータ一体型圧縮機。
【請求項８】
前記ロータエンドカバーをリング状のロータエンドカラー（４６）として構成したことを特徴とする請求項７に記載のアキュムレータ一体型圧縮機。
【請求項９】
ステータ（２１）のボビン（２１ｂ）にて前記ロータエンドカラー（４６）を支持したことを特徴とする請求項８に記載のアキュムレータ一体型圧縮機。
【請求項１０】
前記アキュムレータ部（Ａ）に、貯留された液冷媒（Ｅ）を圧縮機外に導出する液冷媒導出口（１７）を配設したことを特徴とする請求項１ないし請求項９のいずれか１項に記載のアキュムレータ一体型圧縮機。
【請求項１１】
前記モータ部（Ｍ）に、内部のガス冷媒（Ｇ）を圧縮機外に導出するガス冷媒導出口（１８）と、前記圧縮機構部（Ｃ）に、加熱冷媒ガスを前記モータ部（Ｍ）を介することなく冷媒吸入部（３５、３６）に導入する加熱冷媒ガス吸入口（１９）とを設けたことを特徴とする請求項１ないし請求項１０のいずれか１項に記載のアキュムレータ一体型圧縮機。
【請求項１２】
吐出する冷媒圧力が臨界圧力以上となることを特徴とする請求項１ないし請求項１１のいずれか１項に記載のアキュムレータ一体型圧縮機。
【請求項１３】
請求項１ないし請求項９のいずれか１項に記載のアキュムレータ一体型圧縮機を用いたことを特徴とする蒸気圧縮式冷凍サイクル。
【請求項１４】
高圧冷媒の圧力エネルギーを速度エネルギーに変換して冷媒を減圧膨張させるとともに冷媒を吸引するエジェクタ（５）を用いた冷凍サイクルに、請求項１０に記載のアキュムレータ一体型圧縮機を用いたことを特徴とする蒸気圧縮式冷凍サイクル。
【請求項１５】
高圧側の冷媒と低圧側の冷媒とを熱交換させる熱回収手段（６）を用いた冷凍サイクルに、請求項１１に記載のアキュムレータ一体型圧縮機を用いたことを特徴とする蒸気圧縮式冷凍サイクル。
【発明の詳細な説明】
【技術分野】
【０００１】
本発明は、蒸気圧縮式冷凍サイクルに用いられるアキュムレータ一体型圧縮機に関するものである。
【背景技術】
【０００２】
従来技術として、下記特許文献１〜３などにアキュムレータを一体とした圧縮機が示されている。また、発明者らも先に、特許文献４に示すアキュムレータ一体型圧縮機の構造を開示している。
【特許文献１】特開昭６１−２７２４７８号公報
【特許文献２】特開平６−６６２５８号公報
【特許文献３】特開２０００−３３７７３７号公報
【特許文献４】特開２００３−１２９９６０号公報
【発明の開示】
【発明が解決しようとする課題】
【０００３】
しかしながら、上記した従来技術は何れも、アキュムレータ単体での構造をそのまま圧縮機内に構成しているものであるため、圧縮機部とアキュムレータ部との間に気密性を持った隔壁部が必要となり、構造が複雑になるという問題点がある。また、軸受けなどの被潤滑部へは、アキュムレータが別体の場合と同様に、冷媒ガスにミスト状潤滑油を混入させて供給される。
【０００４】
被潤滑部へは液状の潤滑油が供給されるのが理想である。上記した従来技術は何れも、アキュムレータ部内には液状の潤滑油が分離して貯留されているにも係らず、この潤滑油を再度ガス冷媒に混入させて圧縮機部に送るという方法を取っているため、場合によっては圧縮機部の被潤滑部が潤滑不良を引き起すという問題点がある。
【０００５】
また、冷凍サイクルとしては、冷媒をアキュムレータから圧縮機へ単純に送るものだけではなく、減圧手段としてエジェクタを用いて（いわゆるエジェクタサイクル）アキュムレータから液冷媒を導出するものや、アキュムレータと圧縮機との間に熱回収手段としての内部熱交換器を介在させたものなどがあるが、このような冷凍サイクルに対してアキュムレータ一体型圧縮機を適用することが考慮されていないという問題点がある。
【０００６】
本発明は、上記従来技術の問題点に鑑みて成されたものであり、その目的は、簡素な構造でアキュムレータ部を一体化すると共に、そのアキュムレータ部で分離・貯留される液状の潤滑油を被潤滑部に直接供給することのできるアキュムレータ一体型圧縮機、およびこのようなアキュムレータ一体型圧縮機とエジェクタや内部熱交換器とを組み合わせた蒸気圧縮式冷凍サイクルを提供することにある。
【課題を解決するための手段】
【０００７】
本発明は上記目的を達成するために、請求項１ないし請求項１５に記載の技術的手段を採用する。すなわち、請求項１に記載の発明では、冷媒が流通する耐圧密閉容器（１０）の内部に、冷媒を吸入圧縮する圧縮機構部（Ｃ）と、
圧縮機構部（Ｃ）を駆動するモータ部（Ｍ）と、
冷媒を液相冷媒と気相冷媒とに分離して気相冷媒のみを圧縮機構部（Ｃ）に供給し液相冷媒を貯留するアキュムレータ部（Ａ）とを内蔵し、
アキュムレータ部（Ａ）から圧縮機構部（Ｃ）への冷媒供給経路を全て耐圧密閉容器（１０）の内部に構成して外部に露出しない構造としたアキュムレータ一体型圧縮機であり、
天地方向の最上部に圧縮機構部（Ｃ）、その下方にモータ部（Ｍ）、更にモータ部（Ｍ）の下方にアキュムレータ部（Ａ）を構成するとともに、
アキュムレータ部（Ａ）よりも上方側に冷媒吸入口（１４）を配設したことを特徴としている。
【０００８】
この請求項１に記載の発明によれば、冷媒吸入口（１４）より流入する冷媒ガスに混入している潤滑油と余剰な液冷媒とは、耐圧密閉容器（１０）内で分離沈降して最下部に構成したアキュムレータ部（Ａ）に貯留される。また、潤滑油と液冷媒とを分離したガス冷媒（Ｇ）は、耐圧密閉容器（１０）内に構成した冷媒供給経路から最上部に構成した圧縮機構部（Ｃ）へと供給されることより、圧縮機構部（Ｃ）とアキュムレータ部（Ａ）との間に気密性を持った隔壁部は不要となり、簡素な構造でアキュムレータ部（Ａ）を一体化することができる。
【０００９】
また、請求項２に記載の発明では、請求項１に記載のアキュムレータ一体型圧縮機において、アキュムレータ部（Ａ）内の下方部に、圧縮機構部（Ｃ）を駆動する駆動軸（２３）で駆動されて圧縮機内の被潤滑部（２４、２６、２７）に液状の潤滑油（Ｊ）を供給するオイルポンプ（４０）を配設したことを特徴としている。この請求項２に記載の発明によれば、圧縮機が駆動されればオイルポンプ（４０）が連動して、アキュムレータ部（Ａ）内の底側に溜まった液状の潤滑油（Ｊ）を直接被潤滑部（２４、２６、２７）へ供給することができる。
【００１０】
また、請求項３に記載の発明では、請求項１または請求項２に記載のアキュムレータ一体型圧縮機において、モータ部（Ｍ）とアキュムレータ部（Ａ）との間に、複数の貫通孔（４３ａ）を設けたバッフル板（４３）を配設したことを特徴としている。
【００１１】
この請求項３に記載の発明によれば、モータ部（Ｍ）で発生する旋回流がバッフル板（４３）により阻まれてアキュムレータ部（Ａ）には至らないため、アキュムレータ部（Ａ）のガス流動は小さく抑えられ、アキュムレータ部（Ａ）に流入した冷媒ガス中の液冷媒と潤滑油とは効率良く分離沈降する。また、貯留した液冷媒（Ｅ）に旋回流を発生させることも無くなるため、液冷媒（Ｅ）と潤滑油（Ｊ）との混合を防ぐことができる。
【００１２】
また、請求項４に記載の発明では、請求項１ないし請求項３のいずれか１項に記載のアキュムレータ一体型圧縮機において、副軸受け（２６）を支持するための副軸受け支持部材（２５）をアキュムレータ部（Ａ）の中程に設けたうえ、副軸受け支持部材（２５）に複数の貫通孔（２５ａ）を設けてバッフル板の機能を持たせたことを特徴としている。
【００１３】
圧縮機（１）はその作動に伴い、微少ではあるが圧縮機全体の振動を誘起する。場合によってはこの振動がアキュムレータ部（Ａ）の液冷媒（Ｅ）と潤滑油（Ｊ）とを振盪させ、両者の混合を引き起すおそれがある。これに対し、この請求項４に記載の発明によれば、副軸受け支持部材（２５）に複数の貫通孔（２５ａ）を設けてバッフル板の機能を持たせることで振動による攪拌流動を抑え、液冷媒（Ｅ）と潤滑油（Ｊ）との混合を防ぐことができる。
【００１４】
また、請求項５に記載の発明では、請求項１ないし請求項４のいずれか１項に記載のアキュムレータ一体型圧縮機において、アキュムレータ部（Ａ）内へ延設される駆動軸（２３）の外周側に攪拌防止筒（４４）を配設したことを特徴としている。
【００１５】
この攪拌防止筒（４４）が無い場合、駆動軸（２３）は液冷媒（Ｅ）と潤滑油（Ｊ）とに浸漬された状態となるため、その回転に伴い液冷媒（Ｅ）と潤滑油（Ｊ）とに旋回流を発生させ、液冷媒（Ｅ）と潤滑油（Ｊ）とを攪拌混合させてしまう結果となる。しかし、この請求項５に記載の発明によれば、攪拌防止筒（４４）を設けることにより、駆動軸（２３）は直接液冷媒（Ｅ）や潤滑油（Ｊ）と接することが無くなり、液冷媒（Ｅ）と潤滑油（Ｊ）との攪拌混合を防ぐことができる。
【００１６】
また、請求項６に記載の発明では、請求項１ないし請求項５のいずれか１項に記載のアキュムレータ一体型圧縮機において、モータ部（Ｍ）とアキュムレータ部（Ａ）との間に、複数の貫通孔（２５ａ）を設けた副軸受け支持板（２５）を配設するとともに、オイルポンプ（４０）のポンプハウジング（４２）の一部を駆動軸（２３）を包む形で副軸受け支持部まで延設させたことを特徴としている。この請求項６に記載の発明によれば、ポンプハウジング（４２）の一部で攪拌防止筒を兼ねることにより攪拌防止筒（４４）を廃止することができる。
【００１７】
また、請求項７に記載の発明では、請求項１ないし請求項６のいずれか１項に記載のアキュムレータ一体型圧縮機において、モータ部（Ｍ）の下部空間に、冷媒吸入口（１４）と、ロータ（２２）の下側端面およびロータバランサ部（２２ａ）を包む形でロータエンドカバー（４５、４６）とを配設したことを特徴としている。
【００１８】
吸入ガスをモータ部（Ｍ）の下部空間に流入させて、この空間で冷媒ガス中の冷媒と潤滑油との液滴を沈降させる場合は、両液滴の巻上げなどが無いよう空間内はできる限りガス流動の無いことが好ましい。しかし、モータ部（Ｍ）の下部空間は、回転するロータ（２２）と、ロータ（２２）の端部に設置されているロータバランサ部（２２ａ）とによって強い旋回流が発生してしまう。
【００１９】
また、ロータエンドに設置されたロータバランサ部（２２ａ）が高速で回転することにより、冷媒吸入口（１４）より流入する冷媒や潤滑油の液滴が、回転するロータバランサ部（２２ａ）に衝突して微粒化されてしまうことで冷媒ガスからの分離沈降が少なくなってしまうという不具合がある。しかし、この請求項７に記載の発明によれば、ロータエンドカバー（４５、４６）を設けることにより、この不具合を回避することができる。なお、ロータエンドカバー（４５、４６）の材質は、金属でも樹脂でも良い。
【００２０】
また、請求項８に記載の発明では、請求項７に記載のアキュムレータ一体型圧縮機において、ロータエンドカバーをリング状のロータエンドカラー（４６）として構成したことを特徴としている。この請求項８に記載の発明によれば、簡単に形成することができ、コストを抑えることができる。
【００２１】
また、請求項９に記載の発明では、請求項８に記載のアキュムレータ一体型圧縮機において、ステータ（２１）のボビン（２１ｂ）にてロータエンドカラー（４６）を支持したことを特徴としている。この請求項９に記載の発明によれば、機能を維持しつつ組み付け方法を簡単にすることができ、コストを抑えることができる。
【００２２】
また、請求項１０に記載の発明では、請求項１ないし請求項９のいずれか１項に記載のアキュムレータ一体型圧縮機において、アキュムレータ部（Ａ）に、貯留された液冷媒（Ｅ）を圧縮機外に導出する液冷媒導出口（１７）を配設したことを特徴としている。この請求項１０に記載の発明によれば、液冷媒（Ｅ）の貯留部に液冷媒導出口（１７）を設けるという簡単な対応で液冷媒（Ｅ）圧縮機外に導出することができ、低コストで液冷媒（Ｅ）の供給を必要とするエジェクタサイクルに簡単に対応することができる。
【００２３】
また、請求項１１に記載の発明では、請求項１ないし請求項１０のいずれか１項に記載のアキュムレータ一体型圧縮機において、モータ部（Ｍ）に、内部のガス冷媒（Ｇ）を圧縮機外に導出するガス冷媒導出口（１８）と、圧縮機構部（Ｃ）に、加熱冷媒ガスをモータ部（Ｍ）を介することなく冷媒吸入部（３５、３６）に導入する加熱冷媒ガス吸入口（１９）とを設けたことを特徴としている。
【００２４】
この請求項１１に記載の発明によれば、モータ部（Ｍ）に冷媒ガス導出口（１８）と、圧縮機構部（Ｃ）に加熱冷媒ガス吸入口（１９）とを設けるという簡単な対応で、ガス冷媒（Ｇ）を圧縮機外に導出して加熱冷媒ガスを冷媒吸入部（３５、３６）に導入することができるため、低コストで熱回収手段（６）を有する冷凍サイクルに簡単に対応することができる。
【００２５】
また、請求項１２に記載の発明では、請求項１ないし請求項１１のいずれか１項に記載のアキュムレータ一体型圧縮機において、吐出する冷媒圧力が臨界圧力以上となることを特徴としている。この請求項１２に記載の発明によれば、モータ部（Ｍ）を低圧室とする低圧ドーム型密閉電動圧縮機において、その低圧側であるモータ部（Ｍ）の下方にアキュムレータ部（Ａ）を一体としているため、高耐圧部分や気密部分を増やすことが無く、吐出圧力が臨界圧力以上の圧縮機においても適用が容易である。
【００２６】
また、請求項１３に記載の発明では、蒸気圧縮式冷凍サイクルに、請求項１ないし請求項９のいずれか１項に記載のアキュムレータ一体型圧縮機を用いたことを特徴としている。この請求項１３に記載の発明によれば、冷凍サイクルの構成を極めて簡素なものとでき、この冷凍サイクルを収納してなる車両や冷凍サイクルユニットにおいて、省スペースや軽量化をなすことができる。
【００２７】
また、請求項１４に記載の発明では、高圧冷媒の圧力エネルギーを速度エネルギーに変換して冷媒を減圧膨張させるとともに冷媒を吸引するエジェクタ（５）を用いた冷凍サイクルに、請求項１０に記載のアキュムレータ一体型圧縮機を用いたことを特徴としている。この請求項１４に記載の発明によれば、簡素な配管取り回しでエジェクタサイクルを構成することができ、このエジェクタサイクルを収納してなる車両や冷凍サイクルユニットにおいて、省スペースや軽量化をなすことができる。
【００２８】
また、請求項１５に記載の発明では、高圧側の冷媒と低圧側の冷媒とを熱交換させる熱回収手段（６）を用いた冷凍サイクルに、請求項１１に記載のアキュムレータ一体型圧縮機を用いたことを特徴としている。この請求項１５に記載の発明によれば、簡素な配管取り回しで熱回収手段（６）を有する冷凍サイクルを構成することができ、この冷凍サイクルを収納してなる車両や冷凍サイクルユニットにおいて、省スペースや軽量化をなすことができる。ちなみに、上記各手段の括弧内の符号は、後述する実施形態に記載の具体的手段との対応関係を示す一例である。
【発明を実施するための最良の形態】
【００２９】
（第１実施形態）
以下、本発明の実施の形態について添付した図面を用いて詳細に説明する。図１の（ａ）は従来の冷凍サイクル、（ｂ）は本発明のアキュムレータ一体型圧縮機１を用いた冷凍サイクルの構成を示す模式図であり、図２は本発明の第１実施形態（請求項１〜５、１２、１３に対応）におけるアキュムレータ一体型圧縮機１の縦断面図である。
【００３０】
図１（ｂ）において、１は本発明のアキュムレータ一体型圧縮機（以下、圧縮機と略す）で、２は圧縮機１の冷媒吐出口１５から吐出する高温高圧の冷媒から放熱するための放熱器であり、３は放熱器２から流出した冷媒を減圧する減圧器であり、４は減圧器３にて減圧された冷媒を蒸発させて吸熱する吸熱器であり、給熱器４から流出した冷媒は冷媒吸入口１４から圧縮機１に吸入されて循環する冷凍サイクルＲが構成されている。
【００３１】
このような蒸気圧縮式の冷凍サイクルにおいて、冷凍サイクル中で必要とする冷媒の量は冷凍サイクルの運転条件によって異なってくる。このため、最も多量の冷媒量を必要とする運転条件においても不足をきたさないだけの冷媒量が冷凍サイクル中に充填される。一方、冷媒をそれほど必要としない運転条件においては冷媒が過剰となるため、アキュムレータはこの過剰となった冷媒を液化して貯留するためのものである。
【００３２】
このため、冷凍サイクルの低圧側、具体的には圧縮機の吸入側に必要な内容積を持つアキュムレータ部が設置され、本発明はこのアキュムレータ部を圧縮機内に内蔵するものである。次に、その圧縮機１の構造を、図２の縦断面図を用いて説明する。圧縮機１は、鉄管で作った円筒ケーシング１１の両端に、同じく鉄など金属製の上部ケーシング１２と下部ケーシング１３とを溶接で接合して耐圧密閉容器１０を形成している。
【００３３】
そして、上部ケーシング１２にはモータ２０へ電力を供給するための電気端子部１６が設けられている。内部は大きく分けて、冷媒を圧縮する圧縮機構部Ｃと、圧縮機構部Ｃを駆動するモータ部Ｍと、アキュムレータ部Ａとで構成され、圧縮機構部Ｃを天地方向の天側、アキュムレータ部Ａを天地方向の地側、その間にモータ部Ｍを配置して、密閉型電動圧縮機を構成している。
【００３４】
密閉型電動圧縮機には大別して、モータ部Ｍが吐出ガスに満たされるいわゆる高圧ドーム型と、モータ部Ｍが吸入ガス雰囲気となるいわゆる低圧ドーム型に分けられるが、本圧縮機は低圧ドーム型を形成している。これは、本圧縮機が冷媒として自然冷媒の二酸化炭素（ＣＯ２）を用いることを考慮しており、吐出する冷媒圧力を臨界圧力以上としているため、高圧ドーム型では耐圧密閉容器１０に高耐圧を必要として厚肉、重量増、コスト高となるため、高圧冷媒にも対応できるよう低圧ドーム型としている。
【００３５】
各部の詳細は、後述で作動の説明と併せて行うとして、まず全体の概略構造を説明する。本実施形態の圧縮機構部Ｃは、旋回スクロール３１と固定スクロール３２などからなる周知のスクロール型圧縮機構であり、３０は旋回スクロール３１などの可動部を収納するメインハウジングである。これらも鉄などの金属製であり、組み合わされた後にメインハウジング３０と固定スクロール３２は、図示するようにボルトにて締結される。
【００３６】
モータ部Ｍ内には、ＤＣブラシレスモータ（以下、モータと略す）２０が収納されている。尚、モータ２０は大きく分けて、固定子鉄心と巻線とからなるステータ２１と、このステータ２１内で回転するマグネットロータ（以下、ロータと略す）２２とから構成されている。
【００３７】
ロータ２２を支持する駆動軸２３の長手方向上端側にはクランク部２３ａが形成され、メインハウジング３０を貫通して旋回スクロール３１と旋回スクロール軸受け２７を介して連結されていると共に、メインハウジング３０に固定された主軸受け２４によって回転可能に保持されている。なお、図２中の２８は、旋回スクロール３１がクランク部２３ａによって偏心して回転することに対するバランサである。また、旋回スクロール軸受け２７と主軸受け２４とは、後述する本発明で言う被潤滑部である。
【００３８】
一方、駆動軸２３の下端は、アキュムレータ部Ａの中程に固定された副軸受け支持プレート（副軸受け支持部材）で支持される副軸受け２６によって回転可能に保持されている。なお、この副軸受け２６も、後述する本発明で言う被潤滑部の１つである。アキュムレータ部Ａは、先の給熱器４から流入する冷媒を液冷媒とガス冷媒とに分離して、ガス冷媒のみを圧縮機構部Ｃの吸入側に供給すると共に、冷凍サイクル中の余剰冷媒を液冷媒（図２中のＥ）として蓄える部分である。
【００３９】
次に、概略の冷媒の流れを説明する。円筒ケーシング１１のアキュムレータ部Ａよりも上方側には、給熱器４から流出した冷媒を密閉容器１０内に導入する冷媒吸入口１４が形成されている。冷媒吸入口１４からモータ部Ｍの下部空間に流入する冷媒ガスには、液滴冷媒、および液滴潤滑油が含まれている。この両液滴はモータ部Ｍの下部空間で分離沈降し、アキュムレータ部Ａの下方から液状で貯留される。なお、液冷媒に比べて密度の高い潤滑油（図２中のＪ）は液冷媒Ｅの下方底側に分離沈降して貯留される。
【００４０】
気液分離されて液成分の少なくなったガス冷媒Gは、モータ部Ｍのステータ２１と円筒ケーシング１１の内壁との間に形成された冷媒通路２１ｃ、およびステータ２１とロータ２２との間の隙間を通りモータ２０を冷却しつつ圧縮機構部Ｃへと入って行く。圧縮機構部Ｃでは、メインハウジング３０に設けられた連通孔３４を通り、冷媒吸入部としての旋回スクロール室３５から吸入室３６へと至る。
【００４１】
吸入室３６に入ったガス冷媒は、両スクロール３１・３２間で圧縮されて高圧のガス冷媒となり、固定スクロール３２とプレート３３とで構成された吐出室３７へ吐出され、吐出室３７から外部へ連通させた冷媒吐出口（管）１５から圧縮機外部の放熱器２へ向けて吐出される。
【００４２】
次に、本発明の要部の１つであるアキュムレータ部Ａの詳細について説明する。冷媒量余剰の運転条件においては、冷媒吸入口１４より流入する冷媒ガスの中には、余剰の液冷媒が混入している。冷媒吸入口１４からアキュムレータ部Ａよりも上方側の空間に流入した冷媒ガスおよび混入液冷媒は、冷媒ガスの流速が大きく低下するため、ガスに比べて高密度である液冷媒は重力によって下方へと沈降する。
【００４３】
最下部には余剰冷媒を貯留するに必要にして充分なアキュムレータ部Ａとしての空間が設けてあるため、沈降する液冷媒は全てアキュムレータ部Ａに貯留されることになる。また、吸入冷媒中にはミスト状になって冷凍サイクル中を流動してきた潤滑油も含まれているが、これも液冷媒と同様に吸入ガスから分離沈降して、アキュムレータ部Ａの底側に分離貯油される。
【００４４】
次にアキュムレータ部Ａの別の機能について説明する。モータ部Ｍを吸入圧力雰囲気とする低圧ドーム型圧縮機において、その潤滑は冷媒と共に冷凍サイクル中を循環する潤滑油によって行うが、本発明の圧縮機１においては、この潤滑油は駆動軸２３の下端部に設けたオイルポンプ４０によって被潤滑部２４・２６・２７へ圧送するようになっている。
【００４５】
図２のオイルポンプ４０は、ポンプハウジング４１・４２と内部のロータとで構成されている。なお、オイルポンプの形式は限るものではなく、トロコイド型・ロタスコ型・ローラータイプなど、種々ある衆知の型式のいずれであっても良い。なお、図２ではポンプハウジング４２の一部で副軸受け２６を保持し、そのポンプハウジング４２を副軸受け支持プレート２５で支持しているが、副軸受け支持プレート２５で直接副軸受け２６を支持する構造であっても良い。
【００４６】
そして、駆動軸２３には潤滑油流路として、その下端の２１ａから上端に至る連通孔２９が駆動軸２３の中心部に設けてある。更に、その連通孔２９からは各被潤滑部である副軸受け２６・主軸受け２４・旋回スクロール軸受け２７に向けて送油するための送油孔２９ｂ〜２９ｄが分枝して設けてあり、オイルポンプ４０より送出された潤滑油はこれらの送油孔を経て各軸受け部に供給される。
【００４７】
更に、旋回スクロール軸受け２７を潤滑した後この部分より流出する潤滑油は、一旦クランク室３８に溜まった後、旋回スクロール３１のスラスト軸受け３９を通ってメインハウジング３０の旋回スクロール室３５に流出する。そしてこの潤滑油は、メインハウジング３０の連通孔３４より流入してくるガス冷媒に混入して吸入室３６・圧縮室・吐出室３７を経て圧縮機１より送出される。
【００４８】
ここで本発明の潤滑上の特徴は、圧縮機１に内蔵するアキュムレータ部Ａの底側に溜まった液状の潤滑油Ｊを直接被潤滑部２４・２６・２７に供給することができる。これは焼き付きなどの潤滑不良を防ぐのに極めて有効である。このように、低圧ドーム式電動圧縮機において、モータ部Ｍの下方に必要容積の空間を設けることで、アキュムレータの基本機能を持たせることができる。更にはオイルポンプ４０を設けることにより液状潤滑油を直接被潤滑部２４・２６・２７に給油できるため、信頼性の面で大きな効果を得ることができる。
【００４９】
アキュムレータ部Ａを有効に機能させるためには、吸入ガス中の液冷媒を高効率で分離沈降させ、一且分離した液冷媒を冷媒ガスに最混入させないうえ、分離した液冷媒と潤滑油とも混合させないようにする必要がある。以下は、このために本実施形態の圧縮機１に盛り込んだ本発明の構成要素、およびその機能について説明する。
【００５０】
まずはバッフルプレート（バッフル板）４３である。図２においてバッフルプレート４３は、モータ部Ｍの下部空間とアキュムレータ部Ａとの間に設置した円盤状フ゜レートであり、複数の貫通孔４３ａを設けている。モータ部Ｍの下部空間は、ロータ２２や駆動軸２３の回転によって少なからぬ旋回流が発生する。
この旋回流によって貯留した液冷媒Ｅが渦流を発生し、液冷媒Ｅと分離沈降している潤滑油Ｊを巻き上げて液冷媒Ｅと再混合してしまう場合がる。しかし、本バッフルプレート４３の設置によりモータ部Ｍの下部空間とアキュムレータ部Ａとはバッフルプレート４３に設けた貫通孔４３ａによってのみ連通するため、モータ部（Ｍ）で発生する旋回流の影響を無くすことができる。
【００５１】
次に、副軸受け支持板２５である。副軸受け２６を保持するための略円盤状の副軸受け支持板２５をアキュムレータ部Ａの中程に設けたうえ、複数の貫通孔２５ａを設けている。このようには副軸受け支持板２５に複数の貫通孔２５ａを設けることでバッフル板の機能を持たせることができる。これにより圧縮機の振動で誘起される液冷媒と潤滑油の振蕩攪拌混合の危険を防止することができる。
【００５２】
次に、攪拌防止筒としてのシャフトカバー４４である。上述したように、本実施形態においてはアキュムレータ部Ａに貯留される潤滑油を、駆動軸２３によって駆動されるオイルポンプ４０で必要被潤滑部２４・２６・２７に送油する構造としている。このため駆動軸２３はアキュムレータ部Ａの下方部に設けたオイルポンプ４０までアキュムレータ部Ａを通って伸びている。
【００５３】
シャフトカバー４４は、この駆動軸２３によって発生する旋回流を防ぐものである。シャフトカバー４４は、オイルポンプ４０からロータ２２の下端部に至る筒状部材で、駆動軸２３を覆う形で設置され、副軸受け２６の近傍でポンプハウジング４２に支持して設置されている。
【００５４】
最後に、上述した構造の結果による冷凍サイクルの構成を説明する。図１（ａ）に示す従来の冷凍サイクルでは電動圧縮機１００の吸入側にアキュムレータＡ１が設置されている。アキュムレータＡ１内には、上部のガス冷媒Ｇを導出するための内筒Ａ２が有り、その内筒Ａ２の下方部に、液冷媒Ｅの下側に溜まった潤滑油Ｊを導出するガス冷媒Ｇに混入させるための小孔Ａ３を設けており、小孔Ａ３より流入する潤滑油Ｊが冷媒ガスと共に電動圧縮機１００に流入する。
【００５５】
従って電動圧縮機１００の摺動部は冷媒ガスに混合した潤滑油によって潤滑されることになる。これに対して図１（ｂ）は本実施形態のアキュムレータ一体型圧縮機１を用いた冷凍サイクルであり、別体のアキュムレータは無く、吸熱器４を出た冷媒ガスは直接圧縮機１に流入する構成となっている。アキュムレータ機能は前述の如く圧縮機１に内蔵されており、潤滑油は前述の如く直接摺動部に給油されるようになっている。
【００５６】
次に、本実施形態での特徴と、その効果について述べる。まず、冷媒が流通する耐圧密閉容器１０の内部に、冷媒を吸入圧縮する圧縮機構部Ｃと、圧縮機構部Ｃを駆動するモータ部Ｍと、冷媒を液相冷媒と気相冷媒とに分離して気相冷媒のみを圧縮機構部Ｃに供給し液相冷媒を貯留するアキュムレータ部Ａとを内蔵し、アキュムレータ部Ａから圧縮機構部Ｃへの冷媒供給経路を全て耐圧密閉容器１０の内部に構成して外部に露出しない構造としたアキュムレータ一体型圧縮機であり、
天地方向の最上部に圧縮機構部Ｃ、その下方にモータ部Ｍ、更にモータ部Ｍの下方にアキュムレータ部Ａを構成するとともに、アキュムレータ部Ａよりも上方側に冷媒吸入口１４を配設している。
【００５７】
これによれば、冷媒吸入口１４より流入する冷媒ガスに混入している潤滑油と余剰な液冷媒とは、耐圧密閉容器１０内で分離沈降して最下部に構成したアキュムレータ部Ａに貯留される。また、潤滑油と液冷媒とを分離したガス冷媒Ｇは、耐圧密閉容器１０内に構成した冷媒供給経路から最上部に構成した圧縮機構部Ｃへと供給されることより、圧縮機構部Ｃとアキュムレータ部Ａとの間に気密性を持った隔壁部は不要となり、簡素な構造でアキュムレータ部Ａを一体化することができる。
【００５８】
また、アキュムレータ部Ａ内の下方部に、圧縮機構部Ｃを駆動する駆動軸２３で駆動されて圧縮機内の被潤滑部２４・２６・２７に液状の潤滑油Ｊを供給するオイルポンプ４０を配設したことを特徴としている。これによれば、圧縮機が駆動されればオイルポンプ４０が連動して、アキュムレータ部Ａ内の底側に溜まった液状の潤滑油Ｊを直接被潤滑部２４・２６・２７へ供給することができる。
【００５９】
また、モータ部Ｍとアキュムレータ部Ａとの間に、複数の貫通孔４３ａを設けたバッフルプレート４３を配設している。これによれば、モータ部Ｍで発生する旋回流がバッフルプレート４３により阻まれてアキュムレータ部Ａには至らないため、アキュムレータ部Ａのガス流動は小さく抑えられ、アキュムレータ部Ａに流入した冷媒ガス中の液冷媒と潤滑油とは効率良く分離沈降する。また、貯留した液冷媒Ｅに旋回流を発生させることも無くなるため、液冷媒Ｅと潤滑油Ｊとの混合を防ぐことができる。
【００６０】
また、副軸受け２６を支持するための副軸受け支持プレート２５をアキュムレータ部Ａの中程に設けたうえ、副軸受け支持プレート２５に複数の貫通孔２５ａを設けてバッフル板の機能を持たせている。圧縮機１はその作動に伴い、微少ではあるが圧縮機全体の振動を誘起する。場合によってはこの振動がアキュムレータ部Ａの液冷媒Ｅと潤滑油Ｊとを振盪させ、両者の混合を引き起すおそれがある。これに対し、本発明によれば、副軸受け支持プレート２５に複数の貫通孔２５ａを設けてバッフル板の機能を持たせることで振動による攪拌流動を抑え、液冷媒Ｅと潤滑油Ｊとの混合を防ぐことができる。
【００６１】
また、アキュムレータ部Ａ内へ延設される駆動軸２３の外周側にシャフトカバー４４を配設している。このシャフトカバー４４が無い場合、駆動軸２３は液冷媒Ｅと潤滑油Ｊとに浸漬された状態となるため、その回転に伴い液冷媒Ｅと潤滑油Ｊとに旋回流を発生させ、液冷媒Ｅと潤滑油Ｊとを攪拌混合させてしまう結果となる。しかし、これによれば、シャフトカバー４４を設けることにより、駆動軸２３は直接液冷媒Ｅや潤滑油Ｊと接することが無くなり、液冷媒Ｅと潤滑油Ｊとの攪拌混合を防ぐことができる。
【００６２】
また、吐出する冷媒圧力が臨界圧力以上となっている。これによれば、モータ部Ｍを低圧室とする低圧ドーム型密閉電動圧縮機において、その低圧側であるモータ部Ｍの下方にアキュムレータ部Ａを一体としているため、高耐圧部分や気密部分を増やすことが無く、吐出圧力が臨界圧力以上の圧縮機においても適用が容易である。
【００６３】
また、蒸気圧縮式冷凍サイクルに、上述のアキュムレータ一体型圧縮機を用いている。これによれば、冷凍サイクルの構成を極めて簡素なものとでき、この冷凍サイクルを収納してなる車両や冷凍サイクルユニットにおいて、省スペースや軽量化をなすことができる。
【００６４】
（第２実施形態）
図３は、本発明の第２実施形態（請求項６に対応）におけるアキュムレータ一体型圧縮機１の縦断面図である。上述した第１実施形態と異なる特徴部分を説明する。本実施形態では、モータ部Ｍとアキュムレータ部Ａとの間に、複数の貫通孔２５ａを設けた副軸受け支持プレート２５を配設するとともに、オイルポンプ４０のポンプハウジング４２の一部を、駆動軸２３を包む形で副軸受け支持部まで延設させている。
【００６５】
これによれば、ポンプハウジング４２の一部でシャフトカバーを兼ねることによりシャフトカバー４４を廃止することができる。なお、第１実施形態で示したバッフルプレート４３をアキュムレータ部Ａの中程に設けることにより、圧縮機１の振動による貯留液の振蕩混合を防止することができる。
【００６６】
（第３実施形態）
図４は、本発明の第３実施形態（請求項７に対応）におけるアキュムレータ一体型圧縮機１の部分縦断面図である。ステータ２１下端の円周上に複数個存在するコイルエンド２１ａの内側に、その底面をバッフルプレート４３に接するように設置した略カップ状の部材がロータエンドカバー４５である。
【００６７】
また、図５は図４中のＡ−Ａ断面図である。ステータ２１は、ロータ２２の径より僅かに大きな内径を有して放射状に配置された複数のポール（磁極）が有る。ポールには巻線のためのボビン２１ｂが装着されており、そのボビン２１ｂの端部内径と同一か、僅かに小さな外径を有するロータエンドカバー４５が駆動軸２３と同心状に設置してある。
【００６８】
ロータエンドは、このカップ状のロータエンドカバー４５があたかも蓋をするように位置するため、ロータエンドカバー４５の内側空間は、ガス流動の面からその外部とほぼ遮断された状態となる。そのため、ロータエンドカバー４５の内側空間ではロータエンドおよびロータバランサ２１ａが高速で回転し、強い旋回流が発生するが、その流れが外部に影響することは無くなる。このためモータ部Ｍの下部空間のガス流動を極めて小さく抑えることができる。
【００６９】
図６はロータエンドカバー４５の単体斜視図である。全体はカップ状を成し、例えば板金をプレス加工などで成型して作られる。設置方法としては、例えばその底板部をバッフルプレート４３に溶接して固定するなどの方法が採られる。次に、上述した各実施形態と異なる特徴部分を説明する。本実施形態では、モータ部Ｍの下部空間に、冷媒吸入口１４と、ロータ２２の下側端面およびロータバランサ部２２ａを包む形でロータエンドカバー４５とを配設している。
【００７０】
吸入ガスをモータ部Ｍの下部空間に流入させて、この空間で冷媒ガス中の冷媒と潤滑油との液滴を沈降させる場合は、両液滴の巻上げなどが無いよう空間内はできる限りガス流動の無いことが好ましい。しかし、モータ部Ｍの下部空間は、回転するロータ２２と、ロータ２２の端部に設置されているロータバランサ部２２ａとによって強い旋回流が発生してしまう。
【００７１】
また、ロータエンドに設置されたロータバランサ部２２ａが高速で回転することにより、冷媒吸入口１４より流入する冷媒や潤滑油の液滴が、回転するロータバランサ部２２ａに衝突して微粒化されてしまうことで冷媒ガスからの分離沈降が少なくなってしまうという不具合がある。しかし、これによれば、ロータエンドカバー４５を設けることにより、この不具合を回避することができる。なお、ロータエンドカバー４５の材質は、金属でも樹脂でも良い。
【００７２】
（第４実施形態）
図７は、本発明の第４実施形態（請求項８、９に対応）におけるアキュムレータ一体型圧縮機１の部分縦断面図である。本実施形態は、第３実施形態で示したロータエンドカバーを、リング状のロータエンドカラー４６としたものである。図８は、ロータエンドカラー４６の単体斜視図である。ロータエンドカラー４６は、略円筒状の部材で、その高さはロータエンドからバッフルプレート４３との間の寸法より僅かに小さく、その径はコイルエンド部のボビン２１ｂ内径と略同一の寸法としている。
【００７３】
ロータエンドカラー４６をボビン２１ｂの内径部に嵌合装着することにより、ロータエンドカラー４６の内部空間を、冷媒ガスの流れにおいて、ほぼその外部と遮断された状態とすることができる。なお、円筒部４６ａの下端には、ボビン２１ｂの内径より僅かに大径のフランジ部４６ｂを有し、このフランジ部４６ｂがボビン２１ｂ端面とバッフルプレート４３上面との間に狭持されることにより、その軸方向位置を規制されるように構成している。
【００７４】
次に、上述した各実施形態と異なる特徴部分を説明する。本実施形態では、ロータエンドカバーをリング状のロータエンドカラー４６として構成している。これによれば、簡単に形成することができ、コストを抑えることができる。また、ステータ２１のボビン２１ｂにてロータエンドカラー４６を支持したことを特徴としている。これによれば、機能を維持しつつ組み付け方法を簡単にすることができ、コストを抑えることができる。なお、コイルボビンの外周部をバッフルプレート上面近傍まで延長してロータエンドカバーとしても良い。
【００７５】
（第５実施形態）
図９の（ａ）は従来の圧縮機によるエジェクタ５を用いた冷凍サイクルの一例、（ｂ）は（ａ）に本発明のアキュムレータ一体型圧縮機１を用いた場合の構成を示す模式図である。また図１０は、本発明の第５実施形態（請求項１０、１４に対応）におけるアキュムレータ一体型圧縮機１の縦断面図である。本構造の目的は、いわゆるエジェクタサイクルにおいてもアキュムレータ内蔵の本圧縮機１を適用可能にするためのものであり、本実施形態は、アキュムレータ部Ａに貯留された液冷媒Ｅを圧縮機外部に導出するための液冷媒導出管１７を設けたものである。
【００７６】
図９（ａ）において従来圧縮機１００を用いたエジェクタサイクルの説明を行う。エジェクタサイクルとは、減圧手段として通常用いられる膨張弁の代りに、いわゆるエジェクタ５を用い、エジェクタ５の吸引作用を利用したサイクル構成とすることでサイクルの効率向上を行うものである。
【００７７】
エジエクタ５は、図９（ａ）に示す流路構成では、放熱器２から流出した高圧冷媒の圧力エネルギー（圧力ヘッド）を速度エネルギー（速度ヘッド）に変換して冷媒を減圧膨張させるノズル部５ａ、吸熱器４にて蒸発した気相冷媒を吸引する吸引部５ｂ、ノズル部５ａから噴射する高い速度の冷媒流（ジェット流）により吸引部５ｂから冷媒を吸引しながら、ノズル部５ａから噴射する冷媒と吸熱器４から吸引した冷媒とを混合させる混合部、および混合部から流出する冷媒の速度エネルギーを圧力エネルギーに変換して冷媒の圧力を昇圧させるディフューザ部５ｃなどからなるものである。
【００７８】
また、吸引部５ｂの先端側は、混合部に近づくほど通路断面積が縮小するように円錐テーパ状に形成され、ディフィーザ部５ｃは、冷媒出口側に向かうほど通路断面積が拡大するように円錐テーパ状に形成されている。図において吸熱器４にはアキュムレータＡに貯留された液冷媒Ｅが絞り３を介して導かれ、エジェクタ５の低圧部がこの吸熱器４より流出する吸熱気化したガス冷媒を吸引する。
【００７９】
このような構成とすることにより、吸熱器４の温度、すなわち吸熱器圧力を同一とした場合、エジェクタサイクルにおいては、膨張弁サイクルに比べ圧縮機吸入ガス圧力を高くすることができる。これは圧縮機１の作動圧縮比を低下させるため、圧縮に係る消費動力が低減し、結果としてサイクルの効率を高めることができる。なお、圧縮機への潤滑油の供給は前述と同様に、アキュムレータＡ下部のＡ３で示す小孔から冷媒ガスに潤滑油を混入させることで行われる。
【００８０】
次に、上述した各実施形態と異なる特徴部分を説明する。本実施形態では、アキュムレータ部Ａに、貯留された液冷媒Ｅを圧縮機外に導出する液冷媒導出口１７を配設している。これによれば、液冷媒Ｅの貯留部に液冷媒導出口１７を設けるという簡単な対応で液冷媒Ｅ圧縮機外に導出することができ、低コストで液冷媒Ｅの供給を必要とするエジェクタサイクルに簡単に対応することができる。
【００８１】
また、高圧冷媒の圧力エネルギーを速度エネルギーに変換して冷媒を減圧膨張させるとともに冷媒を吸引するエジェクタ５を用いた冷凍サイクルに、このアキュムレータ一体型圧縮機を用いている。これによれば、図９（ｂ）に示すように、簡素な配管取り回しでエジェクタサイクルを構成することができ、このエジェクタサイクルを収納してなる車両や冷凍サイクルユニットにおいて、省スペースや軽量化をなすことができる。
【００８２】
（第６実施形態）
図１１の（ａ）は従来の内部熱交換器（熱回収手段）６を用いた冷凍サイクルの一例、（ｂ）は（ａ）に本発明のアキュムレータ一体型圧縮機１を用いた場合の構成を示す模式図である。また図１２は、本発明の第６実施形態（請求項１１、１５に対応）におけるアキュムレータ一体型圧縮機１の縦断面図である。本実施形態は本圧縮機１を、内部熱交換器６を用いた冷凍サイクルに適用可能なように構成できることを示すものである。
【００８３】
内部熱交換器６を用いた冷凍サイクルとは、圧縮機１の吸入冷媒ガスを、冷凍サイクル内で余剰となった熱を与えて加熱吸引することで、冷凍サイクルの効率を向上させるものである。このための熱交換器が内部熱交換器６である。本実施形態においては、モータ部Ｍに、内部のガス冷媒Ｇを圧縮機外に導出するガス冷媒導出口１８と、圧縮機構部Ｃに、加熱冷媒ガスをモータ部Ｍを介することなく冷媒吸入部３５・３６に導入する加熱冷媒ガス吸入口１９とを設けている。
【００８４】
冷媒吸入口１４より流入した冷媒ガスは、モータ部Ｍの下部空間で液冷媒、潤滑油液滴を沈降分離された後、モータ部Ｍを冷却しつつ上方に流れ、モータ部Ｍ上部に設けた冷媒ガス導出口１８より圧縮機外部に導き出される。この冷媒ガスは、内部熱交換器６を通って加熱された後、メインハウジング３０に設けた過熱冷媒ガス吸入口１９から再び圧縮機１内に吸引流入する。
【００８５】
加熱冷媒ガス吸入口１９からの流れは、モータ部Ｍには流入すること無く、メインハウジング３０に設けた流路によって旋回スクロール室３５から吸入室３６に導かれる構成となっている。本構成の様に、冷媒ガス導出口１８と加熱冷媒ガス吸入口１９とを設けるという簡単な構成変更により、本発明によるアキュムレータ一体型圧縮機１においても内部熱交換器を用いた冷凍サイクルに対応可能な圧縮機とすることができる。
【００８６】
図１１（ａ）において、内部熱交換器６の放熱側６ｂは、放熱器２とエジェクタ５との間に設けられ、この放熱側６ｂで放熱後の冷媒の熱でもって吸入ガスを加熱する役を担う。原理面からの詳細説明は割愛するが、衆知の如く、この熱交換で冷凍サイクルの効率を高めることができる。
【００８７】
図１１（ｂ）では、圧縮機１に設けた冷媒ガス導出口１８、および加熱冷媒ガス吸入口１９を内部熱交換器６に接続することで従来の内部熱交換器を用いた冷凍サイクルと同一の作動を持たせることができる。この場合も図で明らかな如く、独立したアキュムレータを必要としないため、低コスト且つ小型且軽量の冷凍サイクルを構成することができる。
【００８８】
次に、上述した各実施形態と異なる特徴部分を説明する。本実施形態では、モータ部Ｍに、内部のガス冷媒Ｇを圧縮機外に導出するガス冷媒導出口１８と、圧縮機構部Ｃに加熱冷媒ガスを、モータ部Ｍを介することなく冷媒吸入部３５・３６に導入する加熱冷媒ガス吸入口１９とを設けている。
【００８９】
これによれば、モータ部Ｍに冷媒ガス導出口１８と、圧縮機構部Ｃに加熱冷媒ガス吸入口１９とを設けるという簡単な対応で、ガス冷媒Ｇを圧縮機外に導出して加熱冷媒ガスを冷媒吸入部３５・３６に導入することができるため、低コストで内部熱交換器６を有する冷凍サイクルに簡単に対応することができる。
【００９０】
また、高圧側の冷媒と低圧側の冷媒とを熱交換させる内部熱交換器６を用いた冷凍サイクルに、上述のアキュムレータ一体型圧縮機１を用いている。これによれば、簡素な配管取り回しで内部熱交換器６を有する冷凍サイクルを構成することができ、この冷凍サイクルを収納してなる車両や冷凍サイクルユニットにおいて、省スペースや軽量化をなすことができる。
【００９１】
（その他の実施形態）
本発明は、上述した実施形態にのみ限定されるものではなく、次のように変形または拡張することができる。上述の実施形態では、圧縮機構Ｃとしてスクロール型圧縮機構を採用したが、本発明に係るアキュームレータ一体型圧縮機は、ベーン型およびロタスコ（ローリングピストン）型などのその他の圧縮機構であっても良い。また、モータ３０はＤＣブラシレスモータであったが、インダクションモータなど、その他の電動モータであっても良い。
【図面の簡単な説明】
【００９２】
【図１】（ａ）は従来の冷凍サイクル、（ｂ）は本発明のアキュムレータ一体型圧縮機１を用いた冷凍サイクルの構成を示す模式図である。
【図２】本発明の第１実施形態におけるアキュムレータ一体型圧縮機１の縦断面図である。
【図３】本発明の第２実施形態におけるアキュムレータ一体型圧縮機１の縦断面図である。
【図４】本発明の第３実施形態におけるアキュムレータ一体型圧縮機１の部分縦断面図である。
【図５】図４中のＡ−Ａ断面図である。
【図６】ロータエンドカバー４５の単体斜視図である。
【図７】本発明の第４実施形態におけるアキュムレータ一体型圧縮機１の部分縦断面図である。
【図８】ロータエンドカラー４６の単体斜視図である。
【図９】（ａ）は従来の圧縮機によるエジェクタ５を用いた冷凍サイクルの一例、（ｂ）は（ａ）に本発明のアキュムレータ一体型圧縮機１を用いた場合の構成を示す模式図である。
【図１０】本発明の第５実施形態におけるアキュムレータ一体型圧縮機１の縦断面図である。
【図１１】（ａ）は従来の内部熱交換器６を用いた冷凍サイクルの一例、（ｂ）は（ａ）に本発明のアキュムレータ一体型圧縮機１を用いた場合の構成を示す模式図である。
【図１２】本発明の第６実施形態におけるアキュムレータ一体型圧縮機１の縦断面図である。
【符号の説明】
【００９３】
５…エジェクタ
６…内部熱交換器（熱回収手段）
１０…耐圧密閉容器
１４…冷媒吸入口
１７…液冷媒導出口
１８…冷媒ガス導出口
１９…加熱冷媒ガス吸入口
２１…ステータ
２１ｂ…ボビン
２２…ロータ
２２ａ…ロータバランサ部
２３…駆動軸
２４…主軸受け（被潤滑部）
２５…副軸受け支持プレート（副軸受け支持部材）
２５ａ…貫通孔
２６…副軸受け（被潤滑部）
２７…旋回スクロール軸受け（被潤滑部）
３５…旋回スクロール室（冷媒吸入部）
３６…吸入室（冷媒吸入部）
４０…オイルポンプ
４２…ポンプハウジング
４３…バッフルプレート（バッフル板）
４３ａ…貫通孔
４４…シャフトカバー（攪拌防止筒）
４５…ロータエンドカバー
４６…ロータエンドカラー（ロータエンドカバー）
Ａ…アキュムレータ部
Ｃ…圧縮機構部
Ｇ…ガス冷媒
Ｅ…液冷媒
Ｊ…潤滑油
Ｍ…モータ部
【図１】
2007009789.tif 000003
【図２】
2007009789.tif 000004
【図３】
2007009789.tif 000005
【図４】
2007009789.tif 000006
【図５】
2007009789.tif 000007
【図６】
2007009789.tif 000008
【図７】
2007009789.tif 000009
【図８】
2007009789.tif 000010
【図９】
2007009789.tif 000011
【図１０】
2007009789.tif 000012
【図１１】
2007009789.tif 000013
【図１２】
2007009789.tif 000014